(57)【特許請求の範囲】
【請求項１】
パック収容部を有する筐体と、
前記パック収容部に着脱可能に収容されるとともに係合部を有するパック状機器と、
前記筐体に設けられ、前記係合部を係止するロック位置と前記係合部を解放するロック解除位置との間で移動可能であるとともに、前記ロック位置に付勢された第１のロック体と、
前記筐体の外に露出するように前記第１のロック体に取付けられ、前記第１のロック体と一緒に前記ロック位置と前記ロック解除位置との間で移動可能であるとともに、前記パック収容部に前記パック状機器を収容した時に、前記パック状機器の係合部と前記第１のロック体との係合に基づいて前記第１のロック体が前記ロック位置から前記ロック解除位置に向けて単独で変位するのを許容する操作レバーと、
前記操作レバーに取付けられ、前記操作レバーを前記ロック位置に規制する第１の位置と、前記操作レバーの移動を許容する第２の位置との間で移動可能な第２のロック体と、を具備することを特徴とする電子機器。
【請求項２】
請求項１の記載において、前記パック状機器の係合部は傾斜面を有するとともに、前記第１のロック体は前記係合部を係止する係止部を有し、この係止部は、前記パック状機器を前記収容部に収容する時に、前記傾斜面と摺接するカム面を備えることを特徴とする電子機器。
【請求項３】
請求項２の記載において、前記傾斜面および前記カム面は、前記パック収容部に対する前記パック状機器の出し入れ方向と交差する方向に沿って形成されていることを特徴とする電子機器。
【請求項４】
請求項２の記載において、前記係合部の傾斜面は、前記パック状機器を前記パック収容部に収容する時に、前記ロック位置に移動された前記第１のロック体のカム面と摺接することを特徴とする電子機器。
【請求項５】
請求項１の記載において、前記操作レバーは、前記筐体を貫通して前記パック収容部に向けて突出する係合部を有するとともに、前記第１のロック体は、前記操作レバーの係合部が係止する係合溝を有し、これら係合部および係合溝は、前記操作レバーが前記ロック位置から前記ロック解除位置に向けて移動される時に、前記操作レバーと前記第１のロック体とを互いに連動させるとともに、前記パック状機器の係合部と前記第１のロック体との係合に基づいて前記第１のロック体が前記ロック位置から前記ロック解除位置に向けて変位された時に、前記操作レバーを変位させることなく前記第１のロック体のみを単独で変位させる大きさに形成されていることを特徴とする電子機器。
【請求項６】
請求項１の記載において、前記操作レバーおよび前記第２のロック体は、夫々指を掛ける操作面を有し、前記操作レバーの操作面と前記第２のロック体の操作面とは略面一に形成されていることを特徴とする電子機器。
【請求項７】
請求項１又は請求項６の記載において、上記操作レバーの移動方向と上記第２のロック体の移動方向とは、互いに交差することを特徴とする電子機器。
【発明の詳細な説明】
【０００１】
【発明の属する技術分野】
本発明は、ポータブルコンピュータや移動体情報端末などのような電子機器に関する。
【０００２】
【従来の技術】
近年、持ち運びが容易で、かつ高機能な携帯型の電子機器としてブックタイプのポータブルコンピュータが種々提供されている。これらのコンピュータは、キーボードなどを取付けた箱状の筐体を有するコンピュータ本体と、このコンピュータ本体に支持されかつカラー液晶ディスプレイを収容する筐体を供えたディスプレイユニットと、を備えている。前記コンピュータ本体の筐体の内部には、回路基板やハードディスク駆動装置などのような各種の機能部品が収容されている。
【０００３】
この種のコンピュータは、商用交流電源が得られないような場所で使用する頻度が比較的高いために、駆動用電源として機能するバッテリパックを装備している。このバッテリパックは、前記コンピュータ本体の筐体の内部に形成されたバッテリ収容部に着脱可能に収容されている。
【０００４】
前記バッテリ収容部は、前記コンピュータ本体の筐体の底面に解放された開口部を有している。前記バッテリパックは、前記開口部を通じて前記バッテリ収容部に出し入れされるようになっている。
【０００５】
前記バッテリパックを前記バッテリ収容部に保持する保持機構として、前記コンピュータ本体の筐体に前記バッテリパックを保持するロック位置と前記バッテリパックを解放するロック解除位置とに亘って移動可能な保持部材と、この保持部材とは別体に構成されかつ保持部材の移動を規制及び許容するロック部材と、を備えたものが知られている。
【０００６】
また、前述したポータブルコンピュータなどに代表される携帯形の電子機器は、使用者の持ち運びをより容易とするために、近年ますますコンピュータ本体及びディスプレイユニットそれぞれの筐体の薄型化に対する要求が強くなってきている。
【０００７】
前述した従来のポータブルコンピュータは、前記コンピュータ本体の筐体に、前記保持部材と、前記ロック部材とを例えば互いに隣接させた状態で取付けている。これらの保持部材とロック部材とは、操作者などによってマニュアル操作されるようになっている。
【０００８】
【発明が解決しようとする課題】
前述した従来のポータブルコンピュータは、そのコンピュータ本体の筐体に互いに別体の前記保持部材とロック部材とをそれぞれ取付けている。このため、前記コンピュータ本体及びディスプレイユニットの筐体に対する薄形化の要求に応えることが困難になりつつある。
したがって、本発明の目的は、筐体の薄形化が可能な電子機器を提供することにある。
【０００９】
【課題を解決するための手段】
前記目的を達成するため、本発明の一つの形態に係る電子機器は、
パック収容部を有する筐体と、
前記パック収容部に着脱可能に収容されるとともに係合部を有するパック状機器と、
前記筐体に設けられ、前記係合部を係止するロック位置と前記係合部を解放するロック解除位置との間で移動可能であるとともに、前記ロック位置に付勢された第１のロック体と、
前記筐体の外に露出するように前記第１のロック体に取付けられ、前記第１のロック体と一緒に前記ロック位置と前記ロック解除位置との間で移動可能であるとともに、前記パック収容部に前記パック状機器を収容した時に、前記パック状機器の係合部と前記第１のロック体との係合に基づいて前記第１のロック体が前記ロック位置から前記ロック解除位置に向けて単独で変位するのを許容する操作レバーと、
前記操作レバーに取付けられ、前記操作レバーを前記ロック位置に規制する第１の位置と、前記操作レバーの移動を許容する第２の位置との間で移動可能な第２のロック体と、を備えたことを特徴としている。
【００１７】
請求項１によれば、第１のロック体をロック位置からロック解除位置に向けて移動させるための操作レバーに第２のロック体が取付けられているので、実装密度が向上して、機器全体の筐体の薄形化が可能となる。
しかも、第２のロック体によって操作レバーの移動が規制された状態でも、パック状機器をパック収容部に収容すると、第１のロック体が単独でロック位置からロック解除位置に向けて移動するので、パック状機器を筐体のパック収容部に取付けて保持することができる。したがって、パック状機器を筐体に装着する際の操作性が向上する。
【００２９】
【発明の実施の形態】
以下本発明の第１の実施形態を、図１ないし図８に基づいて説明する。
図１は、スーツのポケットに収容し得るような大きさを有する電子機器としての超小型のポータブルコンピュータ１を示している。このコンピュータ１は、図１及び図２に示すように、本体部としてのコンピュータ本体２と、このコンピュータ本体２に支持されたフラットな表示部としてのディスプレイユニット３とを備えている。
【００３０】
コンピュータ本体２は、偏平な箱状をなす筐体４と、この筐体４内に収容されたＣＰＵ、ＲＯＭ、ＲＡＭなどを実装した回路基板などの各種の機能部品と、この筐体４の上面に装着されたキーボード５などを備えている。
【００３１】
前記筐体４は、平坦な底壁４ａと、この底壁４ａに連なる前壁４ｂ、一対の側壁４ｃ，４ｃ、後壁４ｄ及び上壁４ｅとを有している。上壁４ｅは、底壁４ａと略平行に配置されており、この上壁４ｅの前部は、平坦なパームレスト８となっている。パームレスト８は、筐体４の幅方向に沿って延びている。また、このパームレスト８の後方には、情報を入力する手段としての前述したキーボード５が配置されている。
【００３２】
前記筐体４は、図１及び図２などに示すように、前記底壁４ａと、この底壁４ａに連なる周壁６ａとを有するロアハウジング６と、前記上壁４ｅと、この上壁４ｅに連なる周壁７ａとを有するアッパハウジング７とに分割されている。
【００３３】
前記ハウジング６，７は、互いに取り外し可能に連結されている。これらハウジング６，７の周壁６ａ，７ａは、ハウジング６，７が互いに連結された際に互いに連続し、前記コンピュータ本体２の前壁４ｂ、側壁４ｃ及び後壁４ｄなどを構成するようになっている。前記ハウジング６，７は、Ｍｇ−Ａｌ−Ｍｎ系やＭｇ−Ａｌ−Ｚｎ−Ｍｎ系などのマグネシウム合金などの金属材料から構成されている。前記ハウジング６，７を備えた筐体４の内部には、前述した回路基板などが収容されている。
【００３４】
前記ディスプレイユニット３は、筐体としての偏平な箱状をなすハウジング１４と、このハウジング１４内に収容されたカラー液晶ディスプレイ１５（以下ＬＣＤと呼ぶ）と、を備えている。前記ＬＣＤ１５は、文字や図形などの情報が表示される画面１５ａを有している。
【００３５】
前記ディスプレイユニット３のハウジング１４は、前記ＬＣＤ１５を支持する第１の筐体部材としてのＬＣＤカバー１６と、このＬＣＤカバー１６とともに前記ＬＣＤ１５を覆う第２の筐体部材としてのＬＣＤマスク１７とを備えている。
【００３６】
前記ＬＣＤカバー１６は、前述したアッパ及びロアハウジング６，７と同じ前述したマグネシウム合金から構成されている。前記ＬＣＤマスク１７は、前記ＬＣＤ１５の画面１５ａを外部に露出させる表示窓１８を有しているとともに、ＡＢＳ樹脂のような合成樹脂材料にて構成されている。このＬＣＤマスク１７は、前記ＬＣＤカバー１６に取り外し可能に連結されている。
【００３７】
ディスプレイユニット３は、コンピュータ本体２の筐体４の後端部に設けられた図示しないヒンジ装置によって、回動自在に枢支されている。このため、ディスプレイユニット３は、前記パームレスト８やキーボード５を覆い隠す閉じ位置と、前記パームレスト８やキーボード５を露出させる開き位置とに亘って、開閉自在に回動し得るようになっている。
【００３８】
前記コンピュータ本体２の筐体４は、図３及び図４に示すように、パック収容部としてのバッテリ収容部２０を備えている。バッテリ収容部２０は、前記パームレスト８の下方において、前記筐体４の幅方向に沿って延びている。
【００３９】
バッテリ収容部２０は、前記底壁４ａから上向きに延びる第１の端壁２１ａ、第２の端壁２１ｂ及び側壁２２と、これら第１及び第２の端壁２１ａ，２１ｂ、側壁２２に連なる天井壁２３とによって定められている。
【００４０】
第１及び第２の端壁２１ａ，２１ｂは、前記筐体４の幅方向に互いに離間して配置されている。第１の端壁２１ａは、バッテリ収容部２０に連なるコネクタ導出口２４を有している。第２の端壁２１ｂは、前記筐体４の側壁４ｃに隣接した位置において、この側壁４ｃと略平行に配置されている。
【００４１】
また、前記第１の端壁２１ａと第２の端壁２１ｂとは互いに略平行に配置されている。前記側壁２２は、前記前壁４ｂから筐体４の奥行き方向に離間した位置に配置されている。前記天井壁２３は、パームレスト８の内面と向かい合っている。
【００４２】
バッテリ収容部２０は、開口部２５を有している。開口部２５は、前記底壁４ａ及び前記前壁４ｂに開口しており、前記天井壁２３と向かい合っている。この開口部２５は、筐体４の幅方向に延びる長軸と、筐体の奥行き方向に延びる短軸とを有する長方形状をなしている。
【００４３】
バッテリ収容部２０には、図３に示すように、第１のコネクタ２６が配置されている。第１のコネクタ２６は、コネクタボディー２７と、このコネクタボディー２７に支持された複数の接触子２８とを有している。コネクタボディ２７は、前述した回路基板の裏面に支持されている。コネクタボディ２７は、前記接触子２８を有する面が前記コネクタ導出口２４を通じてバッテリ収容部２０に露出した状態で、前記第１の端壁２１ａに隣接した位置に配されている。
【００４４】
接触子２８は、前記コネクタ導出口２４を通じてバッテリ収容部２０に露出している。接触子２８は、筐体４の奥行き方向に一列に並べて配置されている。接触子２８は、前記第１の端壁２１ａよりもバッテリ収容部２０側に張り出している。これら接触子２８の先端は、バッテリ収容部２０の開口部２５の方向を向いている。接触子２８は、コネクタボディ２７の内部に引っ込む方向に弾性変形が可能となっている。
【００４５】
前記バッテリ収容部２０には、パック状機器としてのバッテリパック３１（図３及び図４に示す）が着脱可能に収容されている。バッテリパック３１は、コンピュータ１を商用電源が得られない場所で使用する際に、その駆動用電源として機能するものである。このバッテリパック３１は、前記開口部２５を通じて例えば前記筐体４の厚み方向に沿う図８中の矢印Ｋに沿ってバッテリ収容部２０に出入れされるようになっている。
【００４６】
バッテリパック３１は、合成樹脂製のバッテリケース３２と、このバッテリケース３２の内部に収容された図示しない二次電池と、を備えている、バッテリケース３２は、前記バッテリ収容部２０にきっちりと嵌まり込むような大きさを有する長方形の箱状をなしている。
【００４７】
バッテリケース３２は、前記二次電池を挟んで向かい合う第１及び第２の端面３３ａ，３３ｂを有している。第１の端面３３ａは、バッテリ収容部２０の第１の端壁２１ａや第１のコネクタ２６と向かい合うようになっている。第２の端面３３ｂは、バッテリ収容部２０の第２の端壁２１ｂと向かい合うようになっている。
【００４８】
図３に示すように、バッテリケース３２の第１の端面３３ａには、第２のコネクタ３４が配されている。第２のコネクタ３４は、複数の端子板３５を有している。端子板３５は、前記二次電池に電気的に接続されている。これら端子板３５は、前記第１のコネクタ２６の接触子２８に相対するように、互いに間隔を存して一列に並べて配置されている。
【００４９】
バッテリケース３２は、平坦な上面３６ａと下面３６ｂとを有している。上面３６ａ及び下面３６ｂは、前記第１及び第２の端面３３ａ，３３ｂに連なっている。バッテリパック３１がバッテリ収容部２０に収容された際に、前記上面３６ａは、前記天井面２３と相対するとともに、下面３６ｂは、前記底壁４ａと略面一となる。
【００５０】
バッテリケース３２は、図４に示すように、外方向に突出する一対の係合部４１，４１を備えている。これらの係合部４１，４１は、バッテリケース３２の第２の端面３３ｂに、この端面３３ｂの幅方向に沿って並設され、前記第２のコネクタ３４の反対側に配置されている。これらの係合部４１，４１は、バッテリパック３１がバッテリ収容部２０に収容された際に、前記第２の端壁２１ｂと向かい合う端面４２と、バッテリパック３１がバッテリ収容部２０に取付けられる際に後述する保持機構としてのロック機構５１の係止部７１のカム面７２と当接する傾斜面４３とをそれぞれ有している。
【００５１】
前記傾斜面４３は、バッテリパック３１がバッテリ収容部２０に収容された際に、バッテリケース３２の上面３６ａから下面３６ｂに向うにしたがって、前記筐体４の前壁４ｂからバッテリ収容部２０の側壁２２に向って徐々に傾斜して形成されている。このように、傾斜面４３は、前記矢印Ｋに対し交差する方向に沿って形成されている。
【００５２】
図５に示すように、前記筐体４の一対の側壁４ｃ，４ｃのうち前記第２の端壁２１ｂと隣接する一方の側壁４ｃを構成するロアハウジング６の周壁６ａには、ガイド溝４５が形成されている。ガイド溝４５は、前記筐体４の前壁４ｂと側壁４ｃとが互いに交わる角部４６の近傍に設けられている。ガイド溝４５は、前記筐体４の奥行き方向に沿って延びており、後述する操作体５２の連結部がスライド移動可能な大きさに形成されている。
【００５３】
ガイド溝４５は、前記アッパハウジング７との合わせ部に開口されたスリット状の挿入口４７を有している。前記挿入口４７は、後述する操作体５２の連結部が出入り可能な大きさに形成されている。
【００５４】
また、ガイド溝４５には、後述するロック部材５３の引掛り部７５の上端部に位置する係合部７５ａが係合する係合受け部４８が形成されている。係合受け部４８は、前記挿入口４７の前壁４ｂ側に配されており、前記ガイド溝４５の内周面４５ａから前記アッパハウジング７との合わせ部に向って凹に形成されている。
【００５５】
また、バッテリ収容部２０の第２の端壁２１ｂには、前記ガイド溝４５に相対する一対のスライド溝４９，４９が配されている。前記スライド溝４９は、前記アッパハウジング７との合わせ部に開口されたスリット状の挿入溝４９ａと、この挿入溝４９ａの下端部から前記後壁４ｄに向って、前記筐体４の奥行き方向に沿って延びた係止部スライド溝４９ｂと、を備えている。
【００５６】
前記挿入溝４９ａは、操作体５２の後述する係止部７１が出入り可能な大きさに形成されているとともに、前記係止部スライド溝４９ｂは、前記係止部７１が筐体４の奥行きに沿ってスライド移動可能な大きさに形成されている。また、前記ロアハウジング６は、第２の端壁２１ｂと周壁６ａとを互いに連結する連結壁６ｂを備えている。
【００５７】
図４及び図５に示すように、前記ロアハウジング６において、バッテリ収容部２０の第２の端壁２１ｂと、前記周壁６ａとの間に、保持機構としてのロック機構５１が設けられている。ロック機構５１は、図５に示すように、操作体５２と、ロック部材５３と、付勢手段としての戻しばね５４と、を備えている。
【００５８】
操作体５２は、ロアハウジング６に取付けられた際に、筐体４の側壁４ｃなどの外壁に露出する操作部６１と、前記第２の端壁２１ｂと前記周壁６ａとの間に収容される壁部６２と、これら操作部６１と壁部６２とを互いに連結する図示しない連結部と、を一体に備えている。
【００５９】
操作部６１は、操作体５２がロアハウジング６に取付けられた際に、前記筐体４の奥行き方向に沿って延びた長方形状をなしており、前記筐体４の外壁に露出する操作面６４と、この操作面６４に複数形成された指先などを掛けるための突起６５と、を備えている。突起６５は、前記筐体４の外側に向って凸でかつ前記筐体４の厚み方向に沿って互いに平行に延びて形成されている。操作部６１は、その上端面６１ａから下方に向って切欠かれて形成された切欠部６６を有している。
【００６０】
前記壁部６２は、操作体５２がロアハウジング６に取付けられた際に、前記筐体４の奥行き方向に沿って延びた長方形状をなしており、前記スライド溝４９を通って前記パック収容部２０に突出する一対の係止部７１，７１（図８などに示す）を有している。係止部７１，７１は、前記筐体４の奥行き方向に沿って互いに並設されている。
【００６１】
係止部７１は、それそれ、前記挿入溝４９ａを通り、かつ前記係止部スライド溝４９ｂ内を筐体４の奥行き方向に沿ってスライド移動可能な大きさに形成されている。
【００６２】
係止部７１は、筐体４の奥行き方向に沿ってスライド移動可能に取付けられた操作体５２がロック位置としての最も前壁４ｂ側に位置した際に、前記係合部４１の傾斜面４３が摺接可能に接するカム面７２を、それぞれ有している。カム面７２は、図８などに示すように、ロアハウジング６からアッパハウジング７に向うにしたがって、つまり筐体４の底壁４ａから上壁４ｅに向うにしたがって、前記前壁４ｂに徐々に近付く方向に傾斜して形成されている。
【００６３】
係止部７１は、前述したように前記操作体５２が最も前壁４ｂ側に位置した際に、前記バッテリパック３１の係合部４１を係止して、このバッテリパック３１をバッテリ収容部２０に保持するようになっている。
【００６４】
また、前記係止部７１は、操作体５２が前記筐体４の後壁４ｄ側に位置した際に、前記バッテリパック３１の係合部４１を解放するようになっている。また、前記壁部６２は、前記第２の端壁２１ｂと周壁６ａとの間に収容された際に、前記後壁４ｄ側に突出した凸部７３を一体に備えている。
【００６５】
前記連結部は、前記操作部６１と壁部６２とを互いに連結しており、前記挿入口４７に出入り自在な大きさに形成されているとともに、前記ガイド溝４５内を筐体４の奥行き方向に沿ってスライド移動可能な大きさに形成されている。
【００６６】
前記戻しばね５４は、その一端部が前記壁部６２の凸部７３に係合しているとともに、他端部が前記連結壁６ｂと当接した状態で配されており、前記操作体５４を前記筐体４の前壁４ｂ側に付勢している。
【００６７】
前述した構成によって、図５に示すように、前記操作体５２は、前記連結部が挿入口４７を通ってガイド溝４５に挿入されかつ前記係止部７１が前記挿入溝４９ａを通って係止部スライド溝４９ｂに挿入されて、前記操作部６１が筐体４の外壁に露出しかつ前記壁部６２が前記周壁６ａと第２の端壁２１ｂとの間に収容された状態でロアハウジング６に取付けられるようになっている。
【００６８】
そして、前記操作体５２は、連結部が前記ガイド溝４５内をスライド移動することによって、前記係止部７１がバッテリパック３１の係合部４１を係止するロック位置と、前記係止部７１がバッテリパック３１の係合部４１を解放するロック解除位置とに亘ってスライド移動可能となっている。また、前記戻しばね５４は操作体５２をロック位置に付勢している。
【００６９】
前記ロック部材５３は、引掛り部７５と、ロック操作面７６と、を備えている。前記引掛り部７５は、前記操作部６１の切欠部６６に係止するようになっているとともに、その上端部に位置する係合部７５ａがガイド溝４５の係合受け部４８に係合するようになっている。
【００７０】
また、引掛り部７５は、図６に示す前記係合部７５ａが係合受け部４８に係合する第１の位置と、図７に示す前記係合部７５ａが係合受け部４８から離脱する第２の位置とに亘って、スライド移動自在に前記操作体５２に取付けられるようになっている。
【００７１】
前記ロック操作面７６は、前記引掛り部７５の係合部７５ａが係合受け部４８に係合して前述した第１の位置に変位した際に、前記操作体５２の操作面６１と略面一となるように形成されている。また、ロック操作面７６は、指先などが掛かる突起７７を複数備えている。
【００７２】
また、前記ロック部材５３は位置決め手段としての凸部７８を備えているとともに、前記操作体５２は図示しない第１及び第２の凹部を備えている。前記ロック部材５３の凸部７８は操作体５２の第１の凹部と互いに係止して前記ロック部材５３を前記第１の位置に位置決めするようになっているとともに、前記第２の凹部と互いに係止して前記ロック部材５３を前記第２の位置に位置決めするようになっている。
【００７３】
また、前記ロック操作面７６の突起７７に指先などを掛けるなどして、前記ロック部材５３を前記第１の位置から第２の位置とに亘って、スライド移動させることができるようになっている。
【００７４】
前述した構成によって、前記ロック部材５３は、前記第１の位置に変位した際に、前記引掛り部７５の係合部７５ａがガイド溝４５の係合受け部４８に係合して、前記操作体５２の筐体４の奥行き方向に沿った移動を規制して、前記操作体５２すなわちロック機構５１を前記ロック位置に規制するとともに、第２の位置に変位した際に、引掛り部７５の係合部７５ａが係合受け部４８から離脱して、前記操作体５２の移動を許容するようになっている。
【００７５】
前述した構成によれば、ロック機構５１は、前記筐体４に設けられ、前記係合部４１，４１を係止するロック位置と前記係合部４１，４１を解放するロック解除位置との間で移動可能であるとともに前記ロック位置に付勢されている。また、前記ロック部材５３は、前記ロック機構５１を前記ロック位置に規制する第１の位置と前記ロック機構５１の移動を許容する第２の位置との間で移動可能に前記ロック機構５１に取付けられている。
【００７６】
前記バッテリパック３１をバッテリ収容部２０に取付ける際に、まず、コンピュータ１を反転させ、前記筐体４の底壁４ａを上向きにする。次に、図４に示すように、バッテリパック３１を開口部２５からバッテリ収容部２０に挿入する。この際、前記バッテリ収容部２０の第１の端壁２１ａの第１のコネクタ２６に、前記第１の端面３３ａに設けられた第２のコネクタ３４を相対させ、かつ前記第１の端面３３ａを先頭にした斜め下向きの姿勢でバッテリ収容部２０に挿入する。
【００７７】
そして、前記第１のコネクタ２６の接触子２８と第２のコネクタ３４の端子板３５とを互いに接触させて、前記バッテリパック３１の第１の端面３３ａ側の端部を、前記バッテリ収容部２０の前記第１の端壁２１ａ側の端部に差し込む。
【００７８】
前記第２のコネクタ３４の端子板３５と第１のコネクタ２６の接触子２８とを互いに接触させた後、この接触部を支点にバッテリパック３１を下向きに回動させ、このバッテリパック３１の前記係合部４１が設けられた第２の端面３３ｂ側の端部を、バッテリ収容部２０内に落し込む。
【００７９】
このとき、図８（Ａ）に示すように、バッテリパック３１をバッテリ収容部２０内に保持する係止部７１を備えた操作体５２が、前記ロック位置に付勢されているので、前記係合部４１の傾斜面４３と係止部７１のカム面７２とが互いに接触する。なお、前記ロック部材５３を第２の位置に変位させておく。
【００８０】
この状態から、バッテリパック３１をさらに下向きに回動させると、図８（Ｂ）に示すように、係合部４１が下向きに移動するとともに、前記傾斜面４３とカム面７２との形状に応じて、前記操作体５２がロック位置からロック解除位置に向ってスライドされる。この操作体５２のスライドにより、係合部４１がカム面７２を乗り越えると、前記係合部４１は挿入溝４９ａ内に入り込んで、これらの係合部４１による操作体５２の押圧が解除される。
【００８１】
この結果、図８（Ｃ）に示すように、操作体５２が戻しばね５４によって、ロック位置に強制的に押し戻され、前記係合部４１は、前記係止部７１と天井壁２３との間に挟まれた状態で係止される。そして、このとき、前記バッテリパック３１は、バッテリ収容部２０内に完全に入りこみ、そのバッテリケース３２の上面３６ａが前記天井壁２３に重なり合うとともに、バッテリケース３２の下面３６ｂが前記底壁４ａと略面一となる。
【００８２】
そして、前記ロック部材５３を第２の位置から第１の位置に変位させ、前記操作体５２をロック位置に保持する。前記操作体５２が、戻しばね５４によってロック位置に付勢されかつ前記ロック部材５３によって前記ロック位置に保持されるので、バッテリパック３１は、バッテリ収容部２０に収容された状態にロックされる。そして、誤って操作者の指先などが前記操作面６４を筐体４の奥行き方向に沿って移動させても、バッテリパック３１のバッテリ収容部２０からの脱落などが阻止される。
【００８３】
次に、前記バッテリ収容部２０からバッテリパック３１を取出す際には、まず、図２に示すように、コンピュータ１を上下反転させ、筐体４の底壁４ａを上向きにする。次に、前記ロック体５２を第２の位置に変位させる。そして、前記操作体５２を前記戻しばね５４の弾性復元力に抗してロック位置からロック解除位置に向って移動する。
【００８４】
すると、前記係合部４１が前記係止部７１による係止から解除され、前記バッテリパック３１は、係合部４１が設けられた第２の端面３３ｂ側の端部から、バッテリ収容部２０内から離脱することとなる
本実施形態によれば、前記操作体５２の移動を規制及び許容するロック部材５３を、ロック機構５１の係止部７１を有する操作体５２の切欠部６６に係止させて取付けているので、機器１全体の筐体４，１４の薄形化が可能となる。また、前記ロック部材５３のロック操作面７６と操作体５２の操作面６４とを略面一になるように形成しているので、より前記筐体４，１４の小型化を図ることが可能となる。
【００８５】
次に、第２の実施形態を図９ないし図１５に基づいて説明する、なお、前述した第１の実施形態と同一構成部分には、同一符号を付して説明を省略する。
本実施形態において、筐体４の側壁４ｃのうち前記第２の端壁２１ｂと隣接する一方の側壁４ｃを構成するロアハウジング６の周壁６ａには、図９に示すように、ガイド溝８１が形成されている。ガイド溝８１は、前記前壁４ｂと側壁４ｃとが互いに交わる角部４６の近傍に設けられている。ガイド溝８１は、前記筐体４の奥行き方向に沿って延びており、後述する操作レバー８６の係合部９１がスライド移動可能な大きさに形成されている。
【００８６】
ガイド溝８１には、後述する第２のロック体８８の引掛り部９８の上端部に位置する係合部９８ａが係合する係合受け部８２が形成されている。係合受け部８２は前記ガイド溝８１の内周面８１ａから前記アッパハウジング７との合わせ部に向って凹に形成されている。
【００８７】
また、バッテリ収容部２０の第２の端壁２１ｂには、前記ガイド溝８１に相対する一対のスライド溝８３，８３が配されている。前記スライド溝８３は、それぞれ、前記アッパハウジング７との合わせ部に開口されたスリット状の挿入溝８４と、この挿入溝８４の下端部から前記後壁４ｄに向って、前記筐体４の奥行き方向に沿って延びた係止部スライド溝８５と、を備えている。
【００８８】
前記挿入溝８４は、後述する第１のロック体８７の係止部９４が出入り可能な大きさに形成されている。前記係止部スライド溝８５は、前記係止部９４が筐体４の奥行きに沿ってスライド移動可能な大きさに形成されている。
【００８９】
ロック機構５１は、図９及び図１０に示すように、筐体４の側壁４ｃなどの外壁に露出して取付けられる操作レバー８６と、ロアハウジング６の周壁６ａと第２の端壁２１ｂとの間に収容される第１のロック体８７と、前記操作レバー８６に取付けられるロック部材としての第２のロック体８８と、付勢手段としての戻しばね８９と、を備えている。
【００９０】
操作レバー８６は、図９、図１１及び図１２などに示すように、前記ロアハウジング６に取付けられた際に、筐体４の側壁４ｃなどの外壁に露出する操作部９０と、前記ガイド溝８１を通り前記第１のロック体８７の後述する係合溝９５に係合する係合部９１と、を一体に備えている。
【００９１】
操作部９０は、ロアハウジング６に取付けられた際に、前記筐体４の奥行き方向に沿って延びた長方形状をなしており、前記筐体４の外壁に露出する操作面１００と、この操作面１００に形成された指先などを掛けるための複数の突起９２とを備えている。前記突起９２は、前記筐体４の外側に向って凸でかつ前記筐体４の厚み方向に沿って互いに平行に延びて形成されている。
【００９２】
操作部９０は、その上端面９０ａから下方に向って切欠かれて形成された切欠部９３を有している。前記係合部９１は、係合溝９５に係止自在となっており、前記操作レバー８６と前記第１のロック体８７とを互いに係脱自在としている。
【００９３】
前記第１のロック体８７は、図９、図１１及び図１２に示すように、前記周壁６ａと第２の端壁２１ｂとの間に収容された際に、前記筐体４の奥行き方向に沿って延びた長方形状をなしており、前記スライド溝８３を通して前記パック収容部２０内に突出する一対の係止部９４，９４と、前記操作レバー８６の係合部９１が係合する係合溝９５と、前記後壁４ｄに向って突出する凸部９６と、を一体に備えている。
【００９４】
前記係止部９４，９４は、図１０及び図１５に示すように、前記筐体４の奥行き方向に沿って並設されている。係止部９４は、筐体４の奥行き方向に沿ってスライド移動可能に取付けられた前記第１のロック体８７がロック位置としての最も前壁４ｂ側に位置した際に、前記係合部４１の傾斜面４３が摺接可能に接するカム面９７を、それぞれ有している。
【００９５】
カム面９７は、図１５に示すように、ロアハウジング６からアッパハウジング７に向うにしたがって、つまり筐体４の底壁４ａから上壁４ｅに向うにしたがって、徐々に前記前壁４ｂに近付く方向に傾斜して形成されている。
【００９６】
係止部９４は、前記第１のロック体８７が最も前壁４ｂ側に位置した際に、前記バッテリパック３１の係合部４１を係止して、バッテリパック３１をバッテリ収容部２０に保持するようになっている。また、前記係止部９４は、第１のロック体８７が前記筐体４の後壁４ｄ側に位置した際に、前記バッテリパック３１の係合部４１を解放するようになっている。
【００９７】
前記係合溝９５は、前記筐体４の奥行き方向に沿って延びたスリット状をなしており、前記操作レバー８６の係合部９１が係合するとともに、この係合部９１が筐体４の奥行き方向に沿ってスライド移動可能な大きさに形成されている。
【００９８】
前記戻しばね８９は、その一端部が前記第１のロック体８７の凸部９６に係合しているとともに、他端部が前記連結壁６ｂと当接した状態で設けられており、前記第１のロック体８７を前記筐体４の前壁４ｂ側に付勢しているとともに、前記係合溝９５と係合部９１とを介して、操作レバー８６を前記筐体４の前壁４ｂ側に付勢している。
【００９９】
また、前記操作レバー８６の係合部９１と第１のロック体８７の係合溝９５とは、前記操作レバー８６が戻しばね８９の弾性復元力に抗して前記後壁４ｄに向って変位された際に前記第１のロック体８７を連動して後壁４ｂ側に変位させるとともに、前記第１のロック体８７のみが前記後壁４ｄ側に変位された際に前記操作レバー８６が連動して変位しないような大きさに形成されている。
【０１００】
前述した構成によって、図９に示すように、操作レバー８６と第１のロック体８７とは、操作レバー８６の操作部９０が筐体４の外壁に露出し、かつ前記係合部９１が前記ガイド溝８１を通って前記周壁６ａと第２の端壁２１ｂとの間に収容された第１のロック体８７の係合溝９５に係合して、前記ロアハウジング６に取付けられるようになっている。
【０１０１】
そして、前記第１のロック体８７は、前記係合溝９５に係合しかつガイド溝８１内をスライド移動する操作レバー８６の係合部９１によって支持されて、前記係止部９４がバッテリパック３１の係合部４１を係止するロック位置と、前記係止部９４がバッテリパック３１の係合部４１を解放するロック解除位置との間でスライド移動可能となっている。また、前記戻しばね８９は、第１のロック体８７をロック位置に付勢している。
【０１０２】
前記第２のロック体８８は、引掛り部９８と、ロック操作面９９と、を備えている。前記引掛り部９８は、前記操作レバー８６の操作部９０の切欠部９３に係止するようになっているとともに、その上端部に位置する係合部９８ａがガイド溝８１の係合受け部８２に係合するようになっている。
【０１０３】
また、前記第２のロック体８８は、前記係合部９８ａが係合受け部８２に係合する第１の位置（図１３に示す）と、前記係合部９８ａが係合受け部８２から離脱する第２の位置（図１４に示す）との間でスライド移動自在に前記操作レバー８６に取付けられるようになっている。
【０１０４】
前記ロック操作面９９は、前記引掛り部９８の係合部９８ａがガイド溝８１の係合受け部８２に係合して前述した第１の位置に変位した際に、前記操作レバー８６の操作面１００と略面一となるように形成されている。また、ロック操作面９９は、指先などが掛かる突起部１０１を複数備えている。
【０１０５】
また、前記第２のロック体８８は、図９に示すように位置決め手段としての凸部１０２を備えているとともに、前記操作レバー８６は図示しない第１及び第２の凹部を備えている。前記第２のロック体８８の凸部１０２は、操作レバー８６の第１の凹部と互いに係止して前記第２のロック体８８を前記第１の位置に位置決めするようになっているとともに、前記第２の凹部と互いに係止して前記第２のロック体８８を前記第２の位置に位置決めするようになっている。
【０１０６】
また、前記ロック操作面９９の突起１０１に指先などを掛けるなどして、前記第１の位置から第２の位置とに亘って、前記第２のロック体８８をスライド移動させることができるようになっている。
【０１０７】
前述した構成によって、前記第２のロック体８８は、前記第１の位置に変位した際に、引掛り部９８の係合部９８ａがガイド溝８１の係合受け部８２に係合して、前記操作レバー８６の筐体４の奥行き方向に沿った移動を規制して、前記操作レバー８６すなわちロック機構５１を前記ロック位置に規制するとともに、第２の位置に変位した際に、引掛り部９８の係合部９８ａが係合受け部８２から離脱して、前記操作レバー８６の移動を許容するようになっている。
【０１０８】
また、前記第１のロック体８７は、前記操作レバー８６が前壁４ｂ側から後壁４ｄに向って変位された際に、前記戻しばね８９の弾性復元力に抗して、この操作レバー８６の変位に連動して、前記ロック位置からロック解除位置に向ってスライド移動する。
【０１０９】
前記第１のロック体８７のみが、前記ロック位置からロック解除位置に向って変位された際には、この第１のロック体８７は、前記操作レバー８６を変位させることなく前記スライド溝８４の係止部スライド溝８５に沿ってスライド移動する。このため、前記第２のロック体８８が第１の位置に変位して前記操作レバー８６のスライド移動が規制されている場合にも、前記第１のロック体８７は、前記ロック位置と前記ロック解除位置との間でスライド移動可能となっている。
【０１１０】
前述した構成によれば、前記バッテリパック３１をバッテリ収容部２０に取付ける際に、まず、コンピュータ１を反転させ、前記筐体４の底壁４ａを上向きにする。次に、バッテリパック３１を開口部２５からバッテリ収容部２０内に挿入する。この際、前記バッテリ収容部２０の第１の端壁２１ａの第１のコネクタ２６に、前記第１の端面３３ａに設けられた第２のコネクタ３４を相対させた状態で、前記第１の端面３３ａを先頭にした斜め下向きの姿勢でバッテリ収容部２０に挿入する。
【０１１１】
そして、前記第１のコネクタ２６の接触子２８と第２のコネクタ３４の端子板３５とを互いに接触させて、前記バッテリパック３１の第１の端面３３ａ側の端部を、前記バッテリ収容部２０の前記第１の端壁２１ａ側の端部に差し込む。
【０１１２】
前記第２のコネクタ３４の端子板３５と第１のコネクタ２６の接触子２８とを互いに接触させた後、この接触部を支点にバッテリパック３１を下向きに回動させ、このバッテリパック３１の前記係合部４１が設けられた第２の端面３３ｂ側の端部を、バッテリ収容部２０内に落し込む。
【０１１３】
このとき、図１５（Ａ）に示すように、バッテリパック３１をバッテリ収容部２０内に保持する係止部９４を備えた第１のロック体８７は、ロック位置に付勢されているので、前記係合部４１の傾斜面４３と係止部９４のカム面９７とが互いに接触する。
【０１１４】
この状態から、バッテリパック３１をさらに下向きに回動させると、図１５（Ｂ）に示すように、係合部４１が下向きに移動するとともに、前記傾斜面４３とカム面９７との形状に応じて前記第１のロック体８７がロック位置からロック解除位置に向ってスライドされる。この第１のロック体８７のスライドにより、係合部４１がカム面９７を乗り越えると、前記係合部４１は、挿入溝８４内に入り込んで、これらの係合部４１による第１のロック体８７の押圧が解除される。
【０１１５】
この結果、図１５（Ｃ）に示すように、第１のロック体８７が戻しばね８９によって、ロック位置に強制的に押し戻され、前記係合部４１は、前記係止部９４と天井壁２３との間に挟まれた状態で係止される。そして、このとき、前記バッテリパック３１は、バッテリ収容部２０内に完全に入りこみ、そのバッテリケース３１の上面３６ａが前記天井壁２３に重なり合うとともに、バッテリケース３１の下面３６ｂが前記底壁４ａと略面一となる。
【０１１６】
そして、前記第２のロック体８８を前記第２の位置から第１の位置に変位させるか、または前記第１の位置に保っておく。前記第１のロック体８７が戻しばね８９によってロック位置に付勢され、かつ前記操作レバー８６が第２のロック体８８によって前記ロック位置に保持されるので、バッテリパック３１は、バッテリ収容部２０に収容された状態にロックされる。そして、誤って操作者の指先などが前記操作レバー８６の操作面１００を筐体４の奥行き方向に沿って移動させても、バッテリパック３１のバッテリ収容部２０からの脱落などが阻止される。
【０１１７】
次に、前記バッテリ収容部２０からバッテリパック３１を取出す際には、まず、コンピュータ１を上下反転させ、筐体４の底壁４ａを上向きにする。次に、前記第２のロック体８８を第２の位置に変位させる。そして、前記操作レバー８６を前記戻しばね８９の弾性復元力に抗して前壁４ｂ側から後壁４ｄに向って移動させる。
【０１１８】
すると、バッテリパック３１の係合部４１の前記係止部９４による係止が解除され、前記バッテリパック３１は、係合部４１が設けられた第２の端面３３ｂ側の端部から、バッテリ収容部２０内から離脱することとなる
本実施形態によれば、係止部９４を有する第１のロック体８７を連動させてスライドさせる前記操作レバー８６の移動を規制及び許容する第２のロック体８８を、前記操作レバー８６の切欠部９３に係止させて取付けているので、機器１全体の筐体４，１４の薄形化が可能となる。また、前記第２のロック体８８のロック操作面９９と操作レバー８６の操作面１００とを略面一になるように形成しているので、より、前記筐体４，１４の小型化を図ることが可能となる。
【０１１９】
さらに、第２のロック体８８によって、操作レバー８６の移動が規制された状態においても、前記第１のロック体８７が筐体４の奥行き方向に沿ってスライド移動可能であるため、バッテリパック３１を筐体４の開口部２５を通してパック収容部２０に取付けて保持することができる。したがって、バッテリパック３１を装着する際のロック機構５１などの操作性がより向上することとなる。
【０１２０】
また、操作レバー８６のスライド移動が規制された状態においても、第１のロック体８４がスライド移動可能であるため、バッテリパック３１の係合部４１とロック機構５１の係止部９４とが破損することが防止される。
【０１２１】
さらに、前述した第１及び第２の実施形態においては、パック状機器としてバッテリパック３１を示しているが、例えば、パック状機器としてハードディスク駆動装置やＣＤ−ＲＯＭ駆動装置などを用いても良い。
【０１２２】
【発明の効果】
本発明によれば、第１のロック体をロック位置からロック解除位置に向けて移動させるための操作レバーに第２のロック体が取付けられているので、実装密度が向上して、機器全体の筐体の薄形化が可能となる。
しかも、第２のロック体によって操作レバーの移動が規制された状態でも、パック状機器をパック収容部に収容すると、第１のロック体が単独でロック位置からロック解除位置に向けて移動するので、パック状機器を筐体のパック収容部に取付けて保持することができる。したがって、パック状機器を筐体に装着する際の操作性が向上する。
【図面の簡単な説明】
【図１】本発明の第１の実施形態におけるポータブルコンピュータを示す斜視図。
【図２】同実施形態のポータブルコンピュータを底側から見た斜視図。
【図３】同実施形態のバッテリ収容部の第１のコネクタと、バッテリパックの第２のコネクタとを示す斜視図。
【図４】同実施形態のバッテリパックをバッテリ収容部に挿入する状態を示す斜視図。
【図５】同実施形態のロック機構を示す分解斜視図。
【図６】同実施形態のロック体が第１の位置に変位した状態を示す側面図。
【図７】同実施形態のロック体が第２の位置に変位した状態を示す側面図。
【図８】同実施形態のバッテリパックが係止部に係止される状態を示す断面図。
【図９】本発明の第２の実施形態のロック機構を示す分解斜視図。
【図１０】同実施形態のロック機構を示す平面図。
【図１１】図１０中のＸＩ−ＸＩ線に沿う断面図。
【図１２】図１０中のＸＩＩ−ＸＩＩ線に沿う断面図。
【図１３】同実施形態の第２のロック体が第１の位置に変位した状態を示す側面図。
【図１４】同実施形態の第２のロック体が第２の位置に変位した状態を示す側面図。
【図１５】同実施形態のバッテリパックが係止部に係止される状態を示す断面図。
【符号の説明】
４…筐体、２０…パック収容部（バッテリ収容部）、３１…パック状機器（バッテリパック）、４１…係合部、８６…操作レバー、８７…第１のロック体、８８…第２のロック体。
【図１】
0004163288.tif 000002
【図２】
0004163288.tif 000003
【図３】
0004163288.tif 000004
【図４】
0004163288.tif 000005
【図５】
0004163288.tif 000006
【図６】
0004163288.tif 000007
【図７】
0004163288.tif 000008
【図８】
0004163288.tif 000009
【図９】
0004163288.tif 000010
【図１０】
0004163288.tif 000011
【図１１】
0004163288.tif 000012
【図１２】
0004163288.tif 000013
【図１３】
0004163288.tif 000014
【図１４】
0004163288.tif 000015
【図１５】
0004163288.tif 000016